(57)【要約】【課題】互いに異なる幅寸法のレールの任意の位置で保持可能なソケットを提供すること。【解決手段】ソケットが、第１側部および第２側部を有し第１方向に延びるレールに保持可能なハウジングを備える。ハウジングが、レールの第２方向の一方側に配置され第３方向において第１側部を係止可能な第１係止部と、レールの第２方向の他方側に配置され第３方向において第２側部を係止可能な第２係止部と、第２方向において第１係止部および第２係止部の間で第１係止部に対向するように配置され、第３方向においてレールの第１側部を係止可能な第３係止部とを有する。【選択図】図２
2019160644.tif 000002
【特許請求の範囲】
【請求項１】
第１方向に沿って真っ直ぐに延びると共に、前記第１方向に交差する第２方向に対向する第１側部および第２側部を有するレールに保持可能なハウジングを備え、
前記ハウジングが、
前記レールの前記第２方向の一方側に配置され、前記第１方向および前記第２方向に交差する第３方向において前記第１側部に係止可能な第１係止部と、
前記レールの前記第２方向の他方側に配置され、前記第３方向において前記第２側部を係止可能な第２係止部と、
前記第２方向において前記第１係止部および前記第２係止部の間で前記第１係止部に対向するように配置され、前記第３方向において前記レールの前記第１側部に係止可能な第３係止部と
を有する、ソケット。
【請求項２】
前記ハウジングが、
前記第２方向において前記第２係止部および前記第３係止部の間で前記第２係止部に対向するように配置され、前記第３方向において前記レールの前記第２側部を係止可能な第４係止部をさらに有する、請求項１のソケット。
【請求項３】
前記第３係止部および前記第４係止部が、前記第２方向における前記第１係止部および前記第２係止部の中心を通りかつ前記第３方向に延びる仮想直線に対して対称に配置されている、請求項２のソケット。
【請求項４】
前記ハウジングが、
前記第１係止部および前記第２係止部の中間に設けられ、前記第３係止部および前記第４係止部が接続された突起部をさらに有する、請求項２または３のソケット。
【請求項５】
前記第３係止部が、
前記突起部から前記第１係止部に向かって延びていると共に、その延在方向の前記第１係止部に近い方の端部が屈曲している第１板ばね部を有し、
前記第４係止部が、
前記突起部から前記第２係止部に向かって延びていると共に、その延在方向の前記第２係止部に近い方の端部が屈曲している第２板ばね部を有する、請求項４のソケット。
【請求項６】
前記第３係止部、前記第４係止部および前記突起部が、一体に設けられている、請求項４または５のソケット。
【発明の詳細な説明】
【技術分野】
【０００１】
本開示は、ソケットに関する。
【背景技術】
【０００２】
特許文献１には、ドイツ工業規格（ＤＩＮ）に規格化されたＤＩＮレールに保持可能なリレー端子台が開示されている。このリレー端子台は、端子板、座金およびねじで構成された複数の端子部を有する略直方体状の基台を備えている。この基台の下面には、高さ方向の寸法が小さくなるように形成された段差部が設けられ、段差部における基台の長手方向の両側には、相互に対向しかつ接近する方向に突出する固定フックおよび可動フックが設けられている。前記端子台では、この固定フックおよび可動フックにより、基台がＤＩＮレールに保持される。
【先行技術文献】
【特許文献】
【０００３】
【特許文献１】特開２０１４−１５００１４号公報
【発明の概要】
【発明が解決しようとする課題】
【０００４】
前記端子台では、ＤＩＮレールに対しては、基台を任意の位置に保持できるように構成されている。しかし、前記端子台は、ＤＩＮレールとは異なる幅寸法のレール（例えば、ＤＩＮレールよりも幅寸法の小さいレール）に対しては、他の保持手段を用いなければ、基台を任意の位置に保持できない場合がある。
【０００５】
本開示は、互いに異なる幅寸法のレールの任意の位置で保持可能なソケットを提供することを課題とする。
【課題を解決するための手段】
【０００６】
本開示の一例のソケットは、
第１方向に沿って真っ直ぐに延びると共に前記第１方向に交差する第２方向に対向する第１側部および第２側部を有するレールに保持可能なハウジングを備え、
前記ハウジングが、
前記レールの前記第２方向の一方側に配置され、前記レールの前記第１側部に接触して前記第１方向および前記第２方向に交差する第３方向において前記第１側部を係止可能な第１係止部と、
前記レールの前記第２方向の他方側に配置され、前記レールの前記第２側部に接触して前記第３方向において前記第２側部を係止可能な第２係止部と、
前記第２方向において前記第１係止部および前記第２係止部の間で前記第１係止部に対向するように配置され、前記レールの前記第１側部に接触して前記第３方向において前記レールの前記第１側部を係止可能な第３係止部と
を有する。
【発明の効果】
【０００７】
前記ソケットによれば、ハウジングが、レールの一方側に配置されレールの第１側部を係止可能な第１係止部と、レールの他方側に配置されレールの第２側部を係止可能な第２係止部と、第１係止部および第２係止部の間でかつ第１係止部に対向するように配置されレールの第１側部を係止可能な第３係止部とを有している。これにより、例えば、レールの幅寸法が小さくて、第１係止部がレールの第１側部を係止できない場合であっても、第２係止部と第３係止部とでハウジングをレールの任意の位置に保持することができる。その結果、互いに異なる幅寸法のレールの任意の位置で保持可能なソケットを実現できる。
【図面の簡単な説明】
【０００８】
【図１】本開示の一実施形態のソケットを示す斜視図。
【図２】図１のソケットの平面図。
【図３】図１のソケットの第３係止部および第４係止部の拡大平面図。
【図４】図１のソケットの第３係止部および第４係止部の変形例を示す拡大平面図。
【発明を実施するための形態】
【０００９】
以下、本開示の一例を添付図面に従って説明する。なお、以下の説明では、必要に応じて特定の方向あるいは位置を示す用語（例えば、「上」、「下」、「右」、「左」を含む用語）を用いるが、それらの用語の使用は図面を参照した本開示の理解を容易にするためであって、それらの用語の意味によって本開示の技術的範囲が限定されるものではない。また、以下の説明は、本質的に例示に過ぎず、本開示、その適用物、あるいは、その用途を制限することを意図するものではない。さらに、図面は模式的なものであり、各寸法の比率等は現実のものとは必ずしも合致していない。
【００１０】
本開示の一実施形態のソケット１は、図１に示すように、細長い箱状のハウジング２を備えている。このハウジング２は、図２に示すように、第１方向Ｘ（図１に示す。図２の紙面貫通方向）に沿って真っ直ぐに延びると共に第１方向に交差（例えば、直交）する第２方向（言い換えると、幅方向）Ｙに対向する第１側部１１０および第２側部１２０とを有するレール１００に保持可能に構成されている。
【００１１】
なお、レール１００は、例えば、ドイツ工業規格（ＤＩＮ）に規格化されたＤＩＮレールであり、第１方向Ｘから見て略Ｕ字形状を有している。第１側部１１０および第２側部１２０の各々は、第１方向Ｘおよび第２方向Ｙに交差（例えば、直交）する第３方向Ｚに沿って延びる側壁部１１１、１２１と、この側壁部１１１、１２１の一方の端部（すなわち、図２の上端部）に設けられ第２方向Ｘ沿いを相互に反対方向に延びるフランジ部１１２、１２２とを有している。
【００１２】
ハウジング２は、図１に示すように、細長い箱状のベース１０と、このベース１０に取り付けられたケース２０とで構成されている。ベース１０は、第３方向Ｚにおいて相対する第１側面１０１および第２側面１０２を有している。第１側面１０１および第２側面１０２の各々は、第３方向Ｚから見て、略矩形状を有している。
【００１３】
第１側面１０１のその長手方向の略中央には、電磁継電器などの電子機器を接続可能な機器接続部１３が設けられている。また、この機器接続部１３の第２方向Ｙにおける両側には、それぞれ電線を接続可能な電線接続部１４が設けられている。電線接続部１４は、一例として、複数設けられており、第２方向Ｙ沿いを等間隔で一列に並んで配置されている。
【００１４】
機器接続部１３の第２方向Ｙの一方側には、２つの電線接続部１４が配置され、機器接続部１３の第２方向Ｙの他方側には、３つの電線接続部１４が配置されている。なお、機器接続部１３には、例えば、電磁継電器の端子を接続可能な第１端子接続部（図示せず）が設けられ、各電線接続部１４には、電線の導体部を接続可能な第２端子接続部（図示せず）が設けられている。第１端子接続部と第２端子接続部とは、ハウジング２の内部で電気的に接続されている。
【００１５】
図２に示すように、ベース１０の第２側面１０２の第２方向Ｙの両端部には、第１係止部３０および第２係止部４０がそれぞれ設けられている。また、第２方向Ｙにおける第１係止部３０および第２係止部４０の間には、第３係止部５０および第４係止部６０が設けられている。第３係止部５０および第４係止部６０は、第２方向Ｙにおける第１係止部３０および第２係止部４０の中間に設けられた突起部７０にそれぞれ接続され、この突起部７０を介してベース１０に接続されている。
【００１６】
第１係止部３０は、レール１００の第１側部１１０に接触可能なレール状の接触部３１と、ベース１０に一体に設けられて接触部３１を固定する固定部３２とで構成されている。また、第２係止部４０は、レール１００の第２側部１２０に接触可能なレール状の接触部４１と、ベース１０に一体に設けられて接触部４１を固定する固定部４２とで構成されている。
【００１７】
第１係止部３０および第２係止部４０の各々の接触部３１、４１は、図２に示すように、第２方向Ｙに延びており、レール１００の各側部１１０、１２０のフランジ部１１２、１２２に接触して、第３方向Ｚにおいて各側部１１０、１２０に係止可能に構成されている。
【００１８】
詳しくは、各係止部３０、４０の接触部３１、４１は、第３方向Ｚにおいてベース１０に対向する面が、第２方向Ｙに延びる同一直線上に位置するように配置されている。各係止部３０、４０の接触部３１、４１とベース１０との間には、レール１００の各側部１１０、１２０のフランジ部１１２、１２２が位置可能な隙間が形成されており、この隙間内で、各係止部３０、４０の接触部３１、４１が、レール１００の各側部１１０、１２０のフランジ部１１２、１２２が係止される。
【００１９】
なお、各係止部３０、４０の接触部３１、４１は、その一方または両方が、固定部３２に対して第２方向Ｙに移動可能に構成されている。すなわち、各係止部３０、４０の接触部３１、４１は、レール１００の各側部１１０、１２０のフランジ部１１２、１２２に係止する係止位置と、レール１００の各側部１１０、１２０のフランジ部１１２、１２２に係止しない非係止位置との間を移動可能に構成されている。
【００２０】
第１係止部３０および第２係止部４０の各々の固定部３２、４２は、第２方向Ｙ（すなわち、接触部３１、４１の延在方向）に隙間を空けて２つ設けられ、固定部３２、４２のみで各接触部３１、４１を確実に固定できるように構成されている。なお、２つの固定部３２、４２間の隙間は、ケース２０で覆われている。このため、ケース２０を取り外すことで、第１係止部３０および第２係止部４０の形状を外部から視認することができる。すなわち、ベース１０の精度を容易に確認できる。
【００２１】
第３係止部５０は、図２に示すように、第２方向Ｙにおいて第１係止部３０および第２係止部４０の間でかつ第１係止部３０に対向するように配置されている。詳しくは、第３係止部５０は、図３に示すように、突起部７０から第２方向Ｙ沿いを第１係止部３０に向かって延びていると共に、その延在方向の第１係止部３０に近い方の先端部５２がベース１０に向かって屈曲している第１板ばね部５１を有している。
【００２２】
第１板ばね部５１は、第１係止部３０から離れる方向に弾性変形可能であり、その屈曲した先端部５２が、レール１００の第１側部１１０の側壁部１１１に接触可能に配置されている。すなわち、第３係止部５０の第１板ばね部５１は、第１側部１１０に対して第１係止部３０とは反対の方向からレール１００の第１側部１１０に弾性的に接触して、第３方向Ｚにおいてレール１００の第１側部１１０を係止可能に構成されている。
【００２３】
第４係止部６０は、図２に示すように、第２方向Ｙにおいて第１係止部３０および第２係止部４０の間でかつ第２係止部４０に対向するように配置されている。詳しくは、第４係止部６０は、図３に示すように、突起部７０から第２方向Ｙ沿いを第２係止部４０に向かって延びていると共に、その延在方向の第２係止部４０に近い方の先端部６２がベース１０に向かって屈曲している第２板ばね部６１を有している。
【００２４】
第２板ばね部６１は、第２係止部４０から離れる方向に弾性変形可能であり、その屈曲した先端部６２が、レール１００の第２側部１２０の側壁部１２１に接触可能に配置されている。すなわち、第４係止部６０の第２板ばね部６１は、第２側部１２０に対して第２係止部４０とは反対の方向からレール１００の第２側部１２０に弾性的に接触して、第３方向Ｚにおいてレール１００の第２側部１２０を係止可能に構成されている。
【００２５】
なお、図２に示すように、第１板ばね部５１および第２板ばね部６１の各々は、その先端部５２、６２が第３方向Ｚにおいて、第１接触部３１および第２接触部４１よりもベース１０から離れて配置されている。これにより、第３係止部５０および第４係止部６０の各々が、第３方向Ｚにおいて、レール１００の各側部１１０、１２０の側壁部１１１、１２１をより確実に係止できる。
【００２６】
また、突起部７０は、図２に示すように、第２方向Ｙにおける第１係止部３０および第２係止部４０の中心に配置され、第３係止部５０、第４係止部６０および突起部７０が、ベース１０に一体に設けられている。第３係止部５０、第４係止部６０および突起部７０は、第２方向Ｙにおける第１係止部３０および第２係止部４０の中心を通りかつ第１方向Ｘおよび第２方向Ｙに交差（例えば、直交）する第３方向Ｚに延びる仮想直線Ｌに対して対称に配置されている。
【００２７】
前記ソケット１は、次のようにレール１００に保持され、レール１００に対する保持が解除される。
【００２８】
前記ソケット１をレール１００に保持する場合、まず、第１係止部３０および第２係止部４０の少なくともいずれかを非係止位置に移動させた後、ソケット１を第３方向Ｚに沿って移動させて、レール１００に取り付ける。
【００２９】
このとき、図３に示すように、第３係止部５０および第４係止部６０は、第３係止部５０の先端部５２および第４係止部６０の先端部６２が、各側部１１０、１２０の側壁部１１１、１２１の対向する内面にそれぞれ接触して、第１板ばね部５１および第２板ばね部６１が第２方向Ｙでかつ相互に接近する方向に弾性変形した状態で、第３方向Ｚに沿って円滑に摺動する。
【００３０】
ソケット１をレール１００に取り付けた後、移動させていた第１係止部３０および第２係止部４０の少なくともいずれかを非係止位置から係止位置に移動させる。これにより、第１係止部３０の接触部３１が、第３方向Ｚにおいてレール１００の第１側部１１０のフランジ部１１２に係止され、第２係止部４０の接触部４１が、第３方向Ｚにおいてレール１００の第２側部１２０のフランジ部１２２に係止される。また、第３係止部５０が、第１板ばね部５１の弾性力により、第３方向Ｙにおいてレール１００の第１側部１１０の側壁部１１１に係止され、第４係止部６０が、第２板ばね部６１の弾性力により、第３方向Ｙにおいてレール１００の第２側部１２０の側壁部１２１に係止される。すなわち、第１係止部３０、第２係止部４０、第３係止部５０および第４係止部６０により、ソケット１が、第３方向Ｚにおいてレール１００に係止されて保持される。
【００３１】
また、前記ソケット１のレール１００に対する保持を解除する場合、係止位置に位置している第１係止部３０および第２係止部４０の少なくともいずれかを係止位置から非係止位置に移動させた後、ソケット１を第３方向Ｚに沿って移動させて、レール１００からソケット１を取り外す。
【００３２】
前記ソケット１では、ハウジング２が、レール１００の第２方向Ｙの一方側に配置されレール１００の第１側部１１０を第３方向Ｚにおいて係止可能な第１係止部３０と、レール１００の第２方向Ｙの他方側に配置されレール１００の第２側部１２０を第３方向Ｚにおいて係止可能な第２係止部４０と、第２方向Ｙにおいて第１係止部３０および第２係止部４０の間でかつ第１係止部３０に対向するように配置されレール１００の第１側部１１０を係止可能な第３係止部５０とを有している。これにより、例えば、レール１００の幅寸法が小さくて、第１係止部３０がレール１００の第１側部１１０を係止できない場合であっても、第２係止部４０と第３係止部５０とでハウジング２をレール１００の任意の位置に保持することができる。その結果、互いに異なる幅寸法のレールの任意の位置で保持可能なソケット１を実現できる。
【００３３】
また、ハウジング２が、第２方向Ｙにおいて第２係止部４０および第３係止部５０の間で第２係止部４０に対向するように配置され、第３方向Ｚにおいてレール１００の第２側部１２０を係止可能な第４係止部６０をさらに有している。すなわち、ハウジング２が、第１〜第３係止部３０、４０、５０に加えて、さらに第４係止部４０を有しているので、ハウジング２をレール１００の任意の位置により確実に保持することができる。
【００３４】
また、第３係止部５０および第４係止部６０が、第２方向Ｙにおける第１係止部３０および第２係止部４０の中心を通りかつ第３方向Ｚに延びる仮想直線Ｌに対して対称に配置されている。これにより、第３係止部５０および第４係止部６０が、レール１００の対応する側部１１０、１２０をバランスよく係止することができるので、ハウジング２をレール１００の任意の位置により確実に保持することができる。
【００３５】
また、ハウジング２が、第１係止部３０および第２係止部４０の中間に設けられ、第３係止部５０および第４係止部６０が接続された突起部７０をさらに有している。この突起部７０により、第３係止部５０および第４係止部６０の各々を第１係止部３０および第２係止部４０の間に容易に配置できる。
【００３６】
また、第３係止部５０が、突起部７０から第１係止部３０に向かって延びていると共に、その延在方向の第１係止部３０に近い方の先端部５２が屈曲している第１板ばね部５１を有し、第４係止部６０が、突起部７０から第２係止部４０に向かって延びていると共に、その延在方向の第２係止部４０に近い方の先端部６２が屈曲している第２板ばね部６１を有している。これにより、簡単な構成で、ハウジング２をレール１００の任意の位置に保持することができる。
【００３７】
なお、各板ばね部５１、６１が、屈曲した先端部５２、６２を有しているので、円滑にレール１００にソケット１を取り付けることができ、また、取り外すことができる。
【００３８】
また、第３係止部５０、第４係止部６０および突起部７０が、一体に設けられている。これにより、ソケット１の部品点数が低減され、ソケット１の製造コストを低減できる。
【００３９】
なお、前記ソケット１は、第１〜第４係止部３０、４０、５０、６０を備えているがこれに限らない。本開示は、第１係止部３０および第２係止部４０に加えて、第１係止部３０および第２係止部４０の間に配置されてレール１００を第３方向Ｚにおいて係止可能な係止部を少なくとも１つ備えるソケットに適用できる。
【００４０】
例えば、第３係止部５０および第４係止部６０は、仮想直線Ｌに対して対称に配置されていなくてもよい。また、第３係止部５０および台４係止部６０のいずれか一方を省略してもよいし、突起部７０を省略して、第３係止部５０および第４係止部６０をベース１０に直接接続してもよい。さらに、第３係止部５０、第４係止部６０および突起部７０をそれぞれ別体で設けてもよい。
【００４１】
また、第１〜第４係止部３０、４０、５０、６０は、それぞれ、第３方向においてレール１００の対応する側部１１０、１２０を係止できる構成であれば、任意の構成を採用できる。
【００４２】
例えば、第３係止部５０および第４係止部６０の各々は、図４に示すように、両端部がそれぞれベース１０および突起部７０に接続され、その中間に屈曲部５４、６４を有する板ばね部５３、６３で構成してもよい。この場合、突起部７０は省略しても構わないが、突起部７０を設けることにより、第３係止部５０および第４係止部６０を補強することができる。
【００４３】
前記ソケット１は、フランジ部１１２、１２２を有するレール１００のみならず、フランジ部１１２、１２２を有していないレール１００にも適用できる。この場合、ソケット１は、例えば、第１係止部３０の第１接触部３１と第３係止部５０の板ばね部５１とで、第１側部１１０の側壁部１１１を挟持することで、第３方向Ｚにおいて第１側部１１０を係止するように構成してもよい。
【００４４】
以上、図面を参照して本開示における種々の実施形態を詳細に説明したが、最後に、本開示の種々の態様について説明する。なお、以下の説明では、一例として、参照符号も添えて記載する。
【００４５】
本開示の第１態様のソケット１は、
第１方向Ｘに沿って真っ直ぐに延びると共に前記第１方向Ｘに交差する第２方向Ｙに対向する第１側部１１０および第２側部１２０を有するレール１００に保持可能なハウジング２を備え、
前記ハウジング２が、
前記レール１００の前記第２方向Ｙの一方側に配置され、前記第１方向Ｘおよび前記第２方向Ｙに交差する第３方向Ｚにおいて前記第１側部１１０を係止可能な第１係止部３０と、
前記レール１００の前記第２方向Ｙの他方側に配置され、前記第３方向Ｚにおいて前記第２側部１２０を係止可能な第２係止部４０と、
前記第２方向Ｙにおいて前記第１係止部３０および前記第２係止部４０の間で前記第１係止部３０に対向するように配置され、前記第３方向Ｚにおいて前記レール１００の前記第１側部１１０を係止可能な第３係止部５０と
を有する。
【００４６】
第１態様のソケット１によれば、例えば、レール１００の幅寸法が小さくて、第１係止部３０がレール１００の第１側部１１０を係止できない場合であっても、第２係止部４０と第３係止部５０とでハウジング２をレール１００の任意の位置に保持することができる。その結果、互いに異なる幅寸法のレールの任意の位置で保持可能なソケット１を実現できる。
【００４７】
本開示の第２態様のソケット１は、
前記ハウジング２が、
前記第２方向Ｙにおいて前記第２係止部４０および前記第３係止部５０の間で前記第２係止部４０に対向するように配置され、前記第３方向Ｚにおいて前記レール１００の前記第２側部１２０を係止可能な第４係止部６０をさらに有する。
【００４８】
第２態様のソケット１によれば、ハウジング２が、第１〜第３係止部３０、４０、５０に加えて、さらに第４係止部４０を有しているので、ハウジング２をレール１００の任意の位置により確実に保持することができる。
【００４９】
本開示の第３態様のソケット１は、
前記第３係止部５０および前記第４係止部６０が、前記第２方向Ｙにおける前記第１係止部３０および前記第２係止部４０の中心を通りかつ前記第３方向Ｚに延びる仮想直線Ｌに対して対称に配置されている。
【００５０】
第３態様のソケット１によれば、第３係止部５０および第４係止部６０が、レール１００の対応する側部１１０、１２０をバランスよく係止することができるので、ハウジング２をレール１００の任意の位置により確実に保持することができる。
【００５１】
本開示の第４態様のソケット１は、
前記ハウジング２が、
前記第１係止部３０および前記第２係止部４０の中間に設けられ、前記第３係止部３０および前記第４係止部４０が接続された突起部７０をさらに有する。
【００５２】
第４態様のソケット１によれば、突起部７０により、第３係止部５０および第４係止部６０の各々を第１係止部３０および第２係止部４０の間に容易に配置できる
【００５３】
本開示の第５態様のソケット１は、
前記第３係止部５０が、
前記突起部７０から前記第１係止部３０に向かって延びていると共に、その延在方向の前記第１係止部３０に近い方の端部５２が屈曲している第１板ばね部５１を有し、
前記第４係止部６０が、
前記突起部７０から前記第２係止部３０に向かって延びていると共に、その延在方向の前記第２係止部４０に近い方の端部６２が屈曲している第２板ばね部６１を有する。
【００５４】
第５態様のソケット１によれば、簡単な構成で、ハウジング２をレール１００の任意の位置に保持することができる。
【００５５】
本開示の第６態様のソケット１は、
前記第３係止部５０、前記第４係止部６０および前記突起部７０が、一体に設けられている。
【００５６】
第６態様のソケット１によれば、ソケット１の部品点数が低減され、ソケット１の製造コストを低減できる。
【００５７】
なお、前記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【産業上の利用可能性】
【００５８】
本開示のソケットは、例えば、制御盤に用いることができる。
【符号の説明】
【００５９】
１  ソケット
２  ハウジング
１０  第１ハウジング本体
１０１  第１側面
１０２  第２側面
１３  機器接続部
１４  電線接続部
２０  第２ハウジング本体
３０  第１係止部
３１  接触部
３２  固定部
４０  第２係止部
４１  接触部
４２  固定部
５０  第３係止部
５１  第１板ばね部
５２  先端部
５３  板ばね部
５４  屈曲部
６０  第４係止部
６１  第２板ばね部
６２  先端部
６３  板ばね部
６４  屈曲部
７０  突起部
１００  レール
１１０  第１側部
１１１  側壁部
１１２  フランジ部
１２０  第２側部
１２１  側壁部
１２２  フランジ部
Ｘ  第１方向
Ｙ  第２方向
Ｚ  第３方向
Ｌ  仮想直線
【図１】
2019160644.tif 000003
【図２】
2019160644.tif 000004
【図３】
2019160644.tif 000005
【図４】
2019160644.tif 000006